(57)【要約】【課題】ＢＤに最適化された単一対物レンズを使用し、平行光、あるいはほぼ同一の発散光、集束光で入射してもＤＶＤ、ＣＤの互換が可能な回折光学素子と、前記回折光学素子に開口数調節部材を設けることにより、構成が簡単で効率のよい光ピックアップ装置を提供する。【解決手段】高密度記録媒体と少なくとも一つの低密度記録媒体を互換して採用するための光ピックアップ用回折光学素子であって、前記回折光学素子は少なくとも三つの同心円状の領域に区分され、前記各領域での回折構造の周期は連続的に変化し、各境界部位での回折構造の周期の変化は連続しない。前記区分された三つの同心円状領域のなかで、第１領域は、前記低密度記録媒体のうち、相対的に低密度である第１低密度記録媒体と相対的に高密度である第２低密度記録媒体の中間ディスク厚さの収差を補正するための領域であり、第２領域は第１低密度記録媒体の収差を補正するための領域であり、第３領域は第２低密度記録媒体の収差を補正するための領域である。【選択図】図１
2006134551.tif 000002
【特許請求の範囲】
【請求項１】
高密度記録媒体と少なくとも一つの低密度記録媒体を互換して採用するための光ピックアップ用回折光学素子において、
前記回折光学素子は少なくとも三つの同心円状の領域に区分され、前記各領域での回折構造の周期は連続的に変化し、各境界部位での回折構造の周期の変化は連続しないことを特徴とする回折光学素子。
【請求項２】
前記区分された三つの同心円状領域のなかで、第１領域は、前記低密度記録媒体のうち、相対的に低密度である第１低密度記録媒体と相対的に高密度である第２低密度記録媒体の中間ディスク厚さの収差を補正するための領域であり、第２領域は第１低密度記録媒体の収差を補正するための領域であり、第３領域は第２低密度記録媒体の収差を補正するための領域であることを特徴とする請求項１記載の回折光学素子。
【請求項３】
前記回折構造の周期は、前記回折光学素子に形成された鋸状の周期によって決定されることを特徴とする請求項１記載の回折光学素子。
【請求項４】
前記回折光学素子は、
鋸状にブレージング処理されたガラス基板層と、
前記ガラス基板層の鋸状に対応する面を有する偏光層と、
前記偏光層の他面に結合された平面状ガラス基板層とを含んでなることを特徴とする請求項１記載の回折光学素子。
【請求項５】
前記偏光層は、複屈折性光学材料、または波長による屈折率変化が大きい高分子材料からなることを特徴とする請求項４記載の回折光学素子。
【請求項６】
前記回折光学素子の偏光層が、ガラスの屈折率と溝深さは、それぞれ、
ｎｇ1＝ｎ1と
ｄ＝０．６５５／（ｎｇ2−ｎ2）と
により表される式を満たし、
ｎ１はＢＤの波長に対する屈折率であり、ｎ2はＤＶＤの波長に対する、ＢＤと直交する偏光方向での屈折率であり、ｎｇ2はＤＶＤの波長に対するガラスの屈折率であり、ｄは溝の深さであることを特徴とする請求項４記載の回折光学素子。
【請求項７】
前記回折光学素子に入射する低密度記録媒体の光が低密度記録媒体に適した有効開口数を有するようにする開口数調節部材をさらに含むことを特徴とする請求項４記載の回折光学素子。
【請求項８】
前記開口数調節部材は、
相対的に低密度である第１低密度記録媒体の光の開口数を調節するため、前記回折光学素子の一面に設けられる第１開口数調節領域と、
相対的に高密度である第２低密度記録媒体の光の開口数を調節するため、前記回折光学素子の他面に設けられる第２開口数数調節領域とからなることを特徴とする請求項７記載の回折光学素子。
【請求項９】
前記回折光学素子に入射する低密度記録媒体の光の開口数を調節するための開口数調節部材は多層膜コーティングにより形成されることを特徴とする請求項７記載の回折光学素子。
【発明の詳細な説明】
【技術分野】
【０００１】
本発明は青色レーザに最適化された光ディスク用対物レンズを用いて、ディスクの厚さ、レーザ波長の相違した光ディスクに対する記録または再生を可能にする回折光学素子およびこれを用いる光ピックアップ装置に関するものである。
【背景技術】
【０００２】
従来、映像情報、音声情報またはコンピュータ上のデータを保存する手段として、記録容量０．６５ＧＢのＣＤ、記録容量４．７ＧＢのＤＶＤなどの光記録媒体が普及されてきた。かかる光記録媒体は、対物レンズにより集束された光スポットを用いて光ディスクに任意の情報を記録するかあるいは記録された情報を再生する光記録機器であって、記録容量は光スポットの大きさによって決定される。光スポットの大きさ（Ｓ）は、下記の式１のように、光の波長（λ）に比例し、対物レンズの開口数（ＮＡ；Numerical Aperture）に反比例する。
【０００３】
【数１】
2006134551.tif 000003
【０００４】
したがって、光ディスクの高密度化のため、光ディスクに結ばれる光スポットの大きさを減らすためには、青紫色レーザのような短波長光源を使用することと、開口数を０．６以上に大きくすることが必須に要求されるのが分かる。このような大容量の光記録媒体および光記録装置の例としては、青色の波長領域（４０５ｎｍ）と開口数０．８５の対物レンズを用い、２２ＧＢ程度の容量確保を満たすシステムが提案されている。
ここで、光ディスクの傾斜角をθ、光ディスクの屈折率をｎ、光ディスクの厚さをｄ、対物レンズの開口数をＮＡとすると、光ディスクの傾きにより発生するコマ収差Ｗ31は下記の式２のように示される。
【０００５】
【数２】
2006134551.tif 000004
【０００６】
ここで、光ディスクの屈折率および厚さはそれぞれ光入射面から記録面までの光学媒質の屈折率および厚さを示す。一般に、光ディスクの傾きによる信号の劣化特性はレーザの波長に反比例し、対物レンズの開口数の三乗に比例するので、ディスクの傾きに対する公差は密度の増加につれて急激に減ることになる。したがって、これを補償するため、ディスクの記録密度が増加するにしたがってディスクの厚さを減少させることにより、ディスクの傾き特性を補償することができる。これは、前記式２から、光ディスクの傾きによる公差を確保するためには、高密度化のために対物レンズの開口数を増加させることにより光ディスクの厚さを減らす必要があることからも確認できる。したがって、７８０ｎｍの波長を有するＣＤの場合は１．２ｍｍ、６５０ｎｍの波長を有するＤＶＤの場合は０．６ｍｍに厚さを減らし、これからのＤＶＤより高密度の青色レーザを使用する光ディスク（ＢＤ；Blue-ray Disc）は厚さが０．１ｍｍとなる可能性が高い。もちろん、ＣＤの場合０．４５からＤＶＤの場合０．６に対物レンズの開口数が増加し、ＢＤの場合は対物レンズの開口数が０．８５となる可能性が高い。このように、新規格の光ディスクを開発において問題となるものは既存の光ディスクとの互換性である。
【０００７】
このように、ディスクの種類によってディスクの基板厚さが違うので、１種のディスクに合うように設計された光ピックアップで他種のディスクに記録／再生を行うと、ディスクの厚さ差により球面収差が大きく発生し、光品質の劣化が発生するため、正常的な信号の記録／再生が難しくなる。したがって、相違した基板厚さを有するディスク間の互換性を確保することが可能な種々の方法が提示されている。
【０００８】
このような方法のうち、一つのピックアップ内にＢＤ用対物レンズとＣＤ／ＤＶＤ用対物レンズを搭載する方法が知られている（例えば、特許文献１参照）。しかし、この方法は、二つの対物レンズが搭載されているから、小型化、低費用化を達成し難いという問題がある。
【０００９】
したがって、前述したようなディスク間の互換性を確保し得る方法のなかで、波長の相違した複数の光源を採用する互換型光ピックアップの場合、装置の大きさ、組立性、価格などのいろいろの利点を考慮すると、単一対物レンズを備えることが好ましい。
【００１０】
このような単一対物レンズを用いて、厚さの相違した複数の光ディスクに対して互換して記録／再生が行えるため、前記互換型光ピックアップは前記球面収差を補正しなければならないという問題が発生する。
【００１１】
前記単一対物レンズを用いて互換性を得るための方法が知られている（例えば、特許文献２参照）。この方法は、厚さの相違した高密度光ディスクと低密度光ディスクを互換して採用するため、低密度光ディスクに対しては発散光を用い、別途の光学部品の追加なしで、対物レンズの光ディスクの半径方向へのシフトの際にも良好な収差特性が得られる互換型光ピックアップを提供する。しかし、この方法は、対物レンズがトラッキング動作により移動することにより、収差が発生するという問題が発生する。
【００１２】
前記単一対物レンズを用いて互換性を得るためのほかの方法が知られている（例えば、特許文献３参照）。この方法は、回折光学素子として、複屈折物質を採用するホログラム素子を使用し、前記回折光学素子を対物レンズアクチュエータに搭載し、トラッキング時には対物レンズとともに移動することにより、トラッキング動作による収差発生を抑制し、異種の光ディスクのそれぞれに対して球面収差を補正し、ビームの最大効率でデータの記録／再生が行えるホログラム素子およびホログラム素子を用いる光ピックアップ装置を提供する。しかし、この方法は、回折光学素子をＤＶＤに対して最適化すると、ＣＤの場合に発散光として入射させる必要があり、逆にＣＤに対して最適化すると、ＤＶＤの場合に集束光として入射させる必要があるため、光ピックアップの構成が複雑になるという問題点がある。
【００１３】
前述したように、光ピックアップに要求される課題として、多開口数および短波長を有する光源を使用する場合に発生する収差を除去し、従来の光記録媒体との互換性を得るための方法が提案されているが、前述したような補正手段により光ピックアップの大型化、高費用化をもたらすことになる問題点が発生した。したがって、このような問題点を解決すると共に各機能を集約して小型化を達成するための光ピックアップ装置が要求されている。
【００１４】
【特許文献１】特開２００４−１５８１１８号公報
【特許文献２】特開２００４−１４０９５号公報
【特許文献３】特開２００３−９１８５９号公報
【発明の開示】
【発明が解決しようとする課題】
【００１５】
したがって、本発明は前述した問題点を解決するためになされたもので、単一対物レンズを使用し、平行光、あるいはほぼ同一の発散光、集束光で入射してもＤＶＤ、ＣＤの互換が可能な回折光学素子を提供することを目的とする。
【００１６】
本発明のほかの目的は、回折光学素子に開口数調節部材を設けることにより、構成が簡単で効率のよい光ピックアップ装置を提供することである。
【課題を解決するための手段】
【００１７】
前記のような目的を達成するため、本発明は、高密度記録媒体と少なくとも一つの低密度記録媒体を互換して採用するための光ピックアップ用回折光学素子において、前記回折光学素子は少なくとも三つの同心円状の領域に区分され、前記各領域での回折構造の周期は連続的に変化し、各境界部位での回折構造の周期の変化は連続しないように構成された回折光学素子を提供する。
【００１８】
前記区分された三つの同心円状領域のなかで、第１領域は、前記低密度記録媒体のうち、相対的に低密度である第１低密度記録媒体と相対的に高密度である第２低密度記録媒体の中間ディスク厚さの収差を補正するための領域であり、第２領域は第１低密度記録媒体の収差を補正するための領域であり、第３領域は第２低密度記録媒体の収差を補正するための領域である。
【００１９】
本発明の回折光学素子は、前記回折光学素子に入射する低密度記録媒体の光が低密度記録媒体に適した有効開口数を有するようにする開口数調節部材をさらに含むことができる。
【００２０】
前記目的を達成するため、本発明は、前記のような回折光学素子で構成した光ピックアップ装置を提供する。
【発明の効果】
【００２１】
以上のような本発明による回折光学素子は、単一対物レンズを使用して、ＢＤ、ＤＶＤ、ＣＤ間の互換を可能にした光ピックアップ装置を提供することができ、また前記回折光学素子に、ＤＶＤ、ＣＤの開口数を制限するための開口数調節部材を設けることにより、構成が簡単で効率のよい光ピックアップ装置を提供することができる。
【発明を実施するための最良の形態】
【００２２】
以下、添付図面に基づいて本発明を詳細に説明する。
【００２３】
図面において、図１は本発明の回折光学素子の平面図、図２は図１の回折光学素子の側面図、図３は図１の回折光学素子の断面図、図４ａおよび図４ｂは本発明の回折光学素子による回折効果を示す概略図、図５は本発明の回折光学素子の回折構造周期を示すグラフ、図６ａないし図６ｃは本発明の回折光学素子によるＤＶＤの光線追跡結果を示す概略図、図７ａおよび図７ｂは本発明の回折光学素子によるＣＤの光線追跡結果を示す概略図である。
【００２４】
まず、図１ないし図３に基づいて本発明の回折光学素子を説明する。本発明の回折光学素子１０は高密度記録媒体と少なくとも一つの低密度記録密度記録媒体を互換して採用するためのものである。前記回折光学素子１０は少なくとも三つの同心円状の領域に区分され、その構成は、図３の回折光学素子の断面図に示すように、二つのガラス基板層１５、１６と、この間に設けられた偏光層１７とからなる。
【００２５】
本発明の実施形態で説明する低密度記録媒体は少なくとも２種の記録媒体に区分可能である。本発明の一実施形態においては、相対的に低密度である第１低密度記録媒体と相対的に高密度である第２低密度記録媒体に区分して説明する。すなわち、本発明の実施形態においては、前記高密度記録媒体としては、波長４０５ｎｍの短波長を有し、開口数が０．８５であるＢＤを使用し、前記低密度記録媒体のなかで、相対的に低密度である第１低密度記録媒体としては、波長が７８０ｎｍ、開口数が０．４であるＣＤを使用し、相対的に高密度である第２低密度記録媒体としては、波長が６５０ｎｍ、開口数が０．６であるＤＶＤを使用するものと説明する。
【００２６】
図１に示すように、本発明の回折光学素子１０は、中心から外側に第１領域１１、第２領域１２、第３領域１３に区分して形成され、第３領域１３の外部は外部領域１４として示される。前記区分された三つの領域のうち、第１領域１１は、低密度記録媒体のなかで、相対的に低密度の第１低密度記録媒体と相対的に高密度の第２低密度記録媒体の中間ディスク厚さの収差を補正するための領域であり、第２領域１２は、第１低密度記録媒体の収差を補正するための領域であり、第３領域１３は、第２低密度記録媒体の収差を補正するための領域に区分されている。
【００２７】
すなわち、本発明の一実施形態によると、前記第１領域１１はＤＶＤとＣＤの中間領域に対して最適化された領域で、ディスク厚さ０．６ｍｍ〜１．２ｍｍに対して最適化された領域であり、その形成範囲は０＜ｒ＜０．７５ｍｍである。第２領域１２はＣＤに対して最適化された領域で、ディスク厚さ１．２ｍｍに対して最適化された領域であり、その形成範囲は０．７５＜ｒ＜０．８９ｍｍである。第３領域はＤＶＤに最適化された領域で、ディスク厚さ０．６ｍｍに対して最適化された領域であり、その形成範囲は０．８９＜ｒ＜１．１８５ｍｍである。図２はこのような回折光学素子１０の側面図である。このように形成された回折光学素子１０を通過する光はほぼ回折限界まで集光される。
【００２８】
図３は図１の回折光学素子１０の断面図を示すもので、この回折光学素子１０は、鋸状にブレージング処理されたガラス基板層１５と、前記ガラス基板層１５の鋸状に対応する面を有する偏光層１７と、前記偏光層１７の平面に対応する平面状のガラス基板層１６とからなる。前記回折光学素子１０はＢＤ、ＤＶＤおよびＣＤに対して互換するためのもので、最高密度記録媒体の波長の光であるＢＤに対して最適化されており、ＤＶＤおよびＣＤを回折させることにより互換できるように構成されている。すなわち、ＣＤの記録再生光およびＤＶＤの記録再生光はすべ平行光として回折光学素子１０に入射し、前記回折光学素子１０の回折面により回折されて、光路が変換されて対物レンズに入射するようにすることにより、ディスクの記録面の厚さ差および波長差による収差を補正することができる。
【００２９】
このような回折光学素子１０を回折限界まで集光可能に設計するためには、前述したように、前記回折光学素子１０はＢＤに対して最適化されているので、ＢＤは０次回折光（回折されない光）を使用するようにし、ＤＶＤおよびＣＤは１次回折光を使用するようにする。すなわち、図４ａおよび図４ｂに示すように、ＢＤの場合は０次回折光２８に対してほぼ１００％、ＤＶＤおよびＣＤの場合は１次回折光２９に対してほぼ１００％となるように回折光学素子１０を形成する。
【００３０】
これは、本発明の回折光学素子１０を形成するガラスの屈折率（ｎｇ1）と溝深さ（ｄ）によって決定される。図３に示すような、鋸状にブレージング処理されたガラス基板１５と、前記ガラス基板層１５の鋸状に対応する面を有する偏光層１７と、前記偏光層１７の平面に対応する平面状のガラス基板層１６において、前記偏光層１７としては複屈折性光学材料を使用し、前記複屈折性光学材料は、ＢＤの波長に対する屈折率をｎ1、ＤＶＤの波長に対する、ＢＤと直交する偏光方向での屈折率をｎ2とする場合、ガラスの屈折率（ｎｇ1）と溝深さ（ｄ）は下記のような関係を満たす。
【００３１】
ＢＤの波長に対するガラス材料の屈折率をｎｇ1＝ｎ1
ＤＶＤの波長に対するガラス材料の屈折率をｎｇ2とする場合、
ｄ＝０．６５５／（ｎｇ2−ｎ2）（単位：μｍ）
【００３２】
この際、ＢＤの波長に対して回折は殆ど生じなく、ＣＤ／ＤＶＤの波長に対してだけ回折効果が生じて、回折光はほぼ１次光となる。この場合、ＢＤとＤＶＤ／ＣＤの偏光方向は直交させて入射させる必要がある。
【００３３】
前記偏光層１７は、前述した偏光性高分子の代わりに、波長による屈折率変化の大きい高分子材料を用いることもできる。この際、ＢＤの波長に対する屈折率をｎ1、ＤＶＤの波長に対する、ＢＤと直交した偏光方向での屈折率をｎ2とする場合、ガラスの屈折率（ｎｇ1）と溝深さ（ｄ）は下記のような関係を満たす。
【００３４】
ＢＤの波長に対するガラス材料の屈折率をｎｇ1＝ｎ1
ＤＶＤの波長に対するガラス材料の屈折率をｎｇ2とする場合、
ｄ＝０．６５５／（ｎｇ2−ｎ2）（単位：μｍ）
【００３５】
この場合、一般に偏光性材料の屈折率変化に比べ、波長による屈折率変化が小さいため、回折構造の溝深さ（ｄ）が大きくなる。前述したように、偏光層１７を形成する材料は、前記条件を満たすものであれば、高分子のほかにどんな材料を使用してもかまわない。
【００３６】
前述したような回折光学素子１０の材料および溝深さを有する場合、第１領域１１、第２領域１２、および第３領域１３は相違した周期（ピッチ）を有するように形成される。図５は本発明の回折光学素子１０の半径による回折構造の周期（ピッチ）を示すもので、回折光学素子１０の第１領域１１はＡ領域１８で指示され、第２領域１２はＢ領域１９で指示され、第３領域１３はＣ領域２０で示されている。各領域における周期は連続的に形成されるが、実線２１は第１領域１１での連続した周期を示し、点線２２は第２領域での連続した周期を示し、１点鎖線２３は第３領域１３での連続した周期を示す。すなわち、各領域での周期は連続的に形成されているが、第１領域１１と第２領域１２間の第１境界面２４、および第２領域１２と第３領域１３間の第２境界面２５では、その周期が不連続的に変わるように形成される。
【００３７】
すなわち、本発明の一実施形態においては、ＤＶＤとＣＤの中間領域に対して最適化された第１領域１１は０＜ｒ＜０．７５ｍｍの範囲、ＣＤに対して最適化された第２領域１２は０．７５＜ｒ＜０．８９ｍｍの範囲、ＤＶＤに対して最適化された第３領域１３は０．８９＜ｒ＜１．１８５ｍｍの範囲を有するように形成される。ここで、境界となる０．７５ｍｍおよび０．８９ｍｍではその周期が不連続的に変わるように形成されたことが本発明の特徴である。また、本発明の回折光学素子１０が３領域に分離可能なことも前述したような各領域の周期を相違するように形成することにより得られる結果である。
【００３８】
前述したように、本発明の一実施形態による回折光学素子１０の偏光層１７の溝深さ（ｄ）は前記式３および式４によって決定され、その周期は図５に示すグラフによって決定される。このように形成された本発明の回折光学素子１０によりＢＤ、ＤＶＤおよびＣＤの３波長の光源を単一対物レンズで互換して使用することができる。
【００３９】
また、本発明の回折光学素子１０は、前記回折光学素子１０に入射する低密度記録媒体の光が低密度記録媒体に適した有効開口数を有するようにする開口数調節部材をさらに含むこともできる。
【００４０】
すなわち、本発明の一実施形態においては、低密度記録媒体の光の開口数を制限するための開口数調節部材を前記回折光学素子１０の各面に形成する。本発明の回折光学素子１０の側面図である図２に示すように、前記回折光学素子１０の前面には、相対的に低密度である第１低密度記録媒体の光の開口数を制限するための第１開口数調節領域２６が形成され、前記回折光学素子１０の背面には、相対的に高密度である第２低密度記録媒体の光の開口数を制限するための第２開口数調節領域２７が形成されている。
【００４１】
すなわち、本発明の一実施形態によると、第３領域１３の外側領域１４はＤＶＤの開口を制限するための第１開口数調節領域２６であって、この領域を通過するＤＶＤの開口を制限して、ＤＶＤの波長の回折光がディスク上に焦点を形成しないように構成する。また、ＣＤの開口の制限のためには、前記回折光学素子１０の背面の０．９１μｍ＜ｒの領域にＣＤの開口を制限するための第２開口数調節領域２７を設け、この領域を通過するＣＤの開口を制限して、ＣＤの波長の回折光がディスク上に焦点を形成しないように構成する。このような本発明の開口数調節部材は、前記回折光学素子の表面に多層膜コーティングを行うことにより形成することができる。しかし、ＣＤの波長の透過を防ぐための第２開口数調節領域２７の場合、ＣＤの記録／再生の場合は、収差が大きく、ディスク上に集光されないため、第２開口数調節領域２７を形成しなくても、その効果においては大きな違いが生じない。
【００４２】
したがって、本発明による回折光学素子は、ＢＤ、ＤＶＤおよびＣＤの３波長の光源を単一対物レンズで互換することができるだけでなく、回折光学素子の各面に、ＤＶＤ、ＣＤの開口を制限するための開口数調節領域を形成することにより、構成が一層簡単な光ピックアップ装置を実現することができるという利点がある。
【００４３】
このように形成された本発明の一実施形態による回折光学素子１０により透過されたＢＤ、ＤＶＤおよびＣＤの光ビームの作用効果を説明する。
【００４４】
図６ａないし図６ｃは本発明の回折光学素子によるＤＶＤの光線追跡結果を示し、図７ａおよび図７ｂは本発明の回折光学素子によるＣＤの光線追跡結果を示す。
【００４５】
本発明による回折光学素子１０による光線の流れを説明すると、図６ａは第１領域１１をＤＶＤが通過する場合の光線経路を示し、図６ｂは第２領域１２をＤＶＤが通過する場合の光線経路を示し、図６ｃは第３領域１３をＤＶＤが通過する場合の光線経路を示す。このように形成された光路により発生する収差は各領域別に計算可能である。すなわち、第１領域１１では０．０１４λｒｍｓ、第２領域１２では０．１１９λｒｍｓ、第３領域１３では０．０２２λｒｍｓの収差値が得られることが分かる。このような各領域の収差値は各領域の面積比（Ａ：Ｂ：Ｃ＝０．４：０．１６：０．４４）により加重値を与えるので、全体波面収差の値として約０．０３４λｒｍｓが得られる。このような全体波面収差の値は波面収差のマレシャル条件（波面収差＜０．０７λｒｍｓ）を満足させるだけでなく、記録計に対する条件（波面収差＜０．０３３λｒｍｓ）を誤差範囲内で満足させることが分かる。
【００４６】
図７ａは第１領域１１をＣＤが通過する場合の光線経路を示し、図７ｂは第２領域１２をＣＤが通過する場合の光線経路を示す。このように形成された光線経路により発生する収差を各領域別に計算すると、第１領域１１では０．０２９λｒｍｓ、第２領域１２では０．０１λｒｍｓの値を有することが分かる。したがって、全体波面収差の値は各領域の面積比（Ａ：Ｂ＝０．７１：０．２９）により加重値を与えた値となって、約０．２３λｒｍｓの値を満足させることが分かる。このような波面収差の値は波面収差のマレシャル条件（波面収差＜０．０７λｒｍｓ）を満足させるだけでなく、記録計に対する条件（波面収差＜０．０３３λｒｍｓ）を満足させることが分かる。図面において、参照符号３０は対物レンズを示し、参照符号３１は記録媒体を示す。
【００４７】
したがって、本発明の回折光学素子を装着した光ピックアップ装置は、前述したように、波面収差を適正範囲内に減少させて効率の向上をもたらすだけでなく、回折光学素子に、低密度記録媒体の光の開口数を制限し得る開口数調節部材を装着することにより、全体光ピックアップ装置の構成を簡単にすることができるという点に本発明の特徴があると言える。
【００４８】
このような本発明は前述した実施形態に限定されなく、多様に変更および修正可能なものである。このような本発明の多様な変更および修正は当業者によって容易になし得るものである。
【図面の簡単な説明】
【００４９】
【図１】本発明の回折光学素子の平面図である。
【図２】図１の回折光学素子の側面図である。
【図３】図１の回折光学素子の断面図である。
【図４ａ】本発明の回折光学素子による回折効果を示す概略図である。
【図４ｂ】本発明の回折光学素子による回折効果を示す概略図である。
【図５】本発明の回折光学素子の回折構造周期を示すグラフである。
【図６ａ】本発明の回折光学素子によるＤＶＤの光線追跡結果を示す概略図である。
【図６ｂ】本発明の回折光学素子によるＤＶＤの光線追跡結果を示す概略図である。
【図６ｃ】本発明の回折光学素子によるＤＶＤの光線追跡結果を示す概略図である。
【図７ａ】本発明の回折光学素子によるＣＤの光線追跡結果を示す概略図である。
【図７ｂ】本発明の回折光学素子によるＣＤの光線追跡結果を示す概略図である。
【符号の説明】
【００５０】
１０  回折光学素子
１１  第１領域
１２  第２領域
１３  第３領域
１５  ガラス基板層
１６  平面状ガラス基板層
１７  偏光層
２４  第１境界面
２５  第２境界面
２６  第１開口数調節領域
２７  第２開口数調節領域
２８  ＢＤの０次光
２９  ＣＤおよびＤＶＤの１次光
【図１】
2006134551.tif 000005
【図２】
2006134551.tif 000006
【図３】
2006134551.tif 000007
【図４ａ】
2006134551.tif 000008
【図４ｂ】
2006134551.tif 000009
【図５】
2006134551.tif 000010
【図６ａ】
2006134551.tif 000011
【図６ｂ】
2006134551.tif 000012
【図６ｃ】
2006134551.tif 000013
【図７ａ】
2006134551.tif 000014
【図７ｂ】
2006134551.tif 000015